(57)【要約】      （修正有）【課題】簡単な構成で、モニタを昇降できる電子黒板を提供する。【解決手段】電子黒板１０は、モニタ１２を設置するためのスタンド１４を含み、スタンドには昇降アッシーが昇降可能に設けられ、昇降アッシーの外側面にベアリングローラが固着される。ベアリングローラのローラ部がローラガイド内に設置される。ハンドル４４を回すと昇降ねじが回転し、昇降アッシーが昇降（上下移動）する。このとき、ローラガイドがベアリングローラを安定してガイドするので、昇降アッシーが安定して昇降される。その昇降アッシーにモニタ掛け金具７０を介して連結されたモニタ１２が昇降アッシーと連動して、昇降される。これにより、安定してモニタを昇降できる電子黒板が得られる。【選択図】図２
0003232082.tif 000002
【実用新案登録請求の範囲】
【請求項１】
２本の支柱を有するスタンドにモニタを設置する電子黒板であって、
前記２本の支柱の間に昇降可能に設けられる昇降部、
前記昇降部の両外側面の少なくとも一方に固着されるベアリングローラ、および
前記２本の支柱の少なくとも一方の内面に設けられて前記ベアリングローラをガイドするローラガイドを備え、
前記昇降部に連動して前記モニタが昇降される、電子黒板。
【請求項２】
前記昇降部を昇降させるための昇降ねじ、および
前記昇降ねじの下端に取り付けられるハンドルを備える、請求項１記載の電子黒板。
【考案の詳細な説明】
【技術分野】
【０００１】
この考案は、電子黒板に関し、特にたとえば、タッチスクリーンモニタのような大型のモニタをスタンド上に昇降可能に設置した、電子黒板に関する。
【背景技術】
【０００２】
たとえば、特許文献１にはこの考案の背景となるモニタスタンドの一例が開示されている。このモニタスタンドは、中空状の支柱１０の前面の開口部１１に沿って上下スライド自在に装着されるスライド基盤２０を設ける。スライド基盤２０は、支柱１０の開口部１１前面に沿って設けられた左右一対の支持レール１５にスライド自在に係合する支持板２１を有し、この支持板２１と昇降装置３０が開口部１１を介して固定される。支柱１０の内部に昇降装置３０を装着する。昇降装置３０にスライド基盤２０を連結してスライド基盤２０を昇降自在に支持する。スライド基盤２０の前面にモニタＰを装着する。
【先行技術文献】
【特許文献】
【０００３】
【特許文献１】特開2007-322592号公報［G09F 9/00 H04N 5/64］
【考案の開示】
【考案が解決しようとする課題】
【０００４】
特許文献１の技術では、支柱やスライド基盤を用いる昇降機構の構造が複雑である。
【０００５】
それゆえに、この考案の主たる目的は、新規な、電子黒板を提供することである。
【０００６】
この考案の他の目的は、簡単な構造で、モニタを昇降することができる、電子黒板を提供することである。
【課題を解決するための手段】
【０００７】
第１の考案は、２本の支柱を有するスタンドにモニタを設置する電子黒板であって、２本の支柱の間に昇降可能に設けられる昇降部、昇降部の両外側面の少なくとも一方に固着されるベアリングローラ、および２本の支柱の少なくとも一方の内面に設けられてベアリングローラをガイドするローラガイドを備え、昇降部に連動してモニタが昇降される、電子黒板である。
【０００８】
第１の考案では、電子黒板（１０：実施例において相当する部分を示す参照符号。以下同様。）は、モニタ（１２）を設置するスタンド(１４)を備え、昇降部（４６）は、スタンド（１４）の２本の支柱（２８）の間に昇降可能に設けられる。その昇降部(４６)の少なくとも一方の外側面にベアリングローラ（６２）が固着される。少なくとも一方の支柱（２８）にローラガイド（７６）が設けられ、そのローラガイド（７６）にベアリングローラ（６２）がガイドされる。モニタ（１２）がモニタ掛け金具（４６、７０）を介して、昇降部（４６）に連結される。したがって、モニタ（１２）が昇降部（４６）に連動して昇降される。
【０００９】
第１の考案によれば、ベアリングローラとローラガイドの構成で昇降部の昇降をガイドするので、安定してモニタを昇降できる電子黒板が得られる。
【００１０】
第２の考案は、第１の考案に従属し、昇降部を昇降させるための昇降ねじ、および昇降ねじの下端に取り付けられるハンドルを備える、電子黒板である。
【００１１】
第２の考案では、昇降部（４６）が昇降ねじ（３６）によって昇降され、ハンドル（４４）がその昇降ねじ（３６）の下端に取り付けられる。
【００１２】
第２の考案によれば、ハンドルを回す方向を昇降ねじの回転方向に一致させたので、ハンドルを回す方向を容易に（直感的に）理解することができる。
【考案の効果】
【００１３】
この考案によれば、簡単な構造で、モニタを昇降できる電子黒板を得られる。
【００１４】
この考案の上述の目的、その他の目的、特徴および利点は、図面を参照して行う以下の実施例の詳細な説明から一層明らかとなろう。
【図面の簡単な説明】
【００１５】
【図１】図１はこの考案の一実施例の電子黒板を示す正面図である。
【図２】図２は図１の実施例の電子黒板を示す背面図である。
【図３】図３は図１‐図２実施例におけるモニタスタンドの前カバーを外した正面、平面および右側面を表す斜視図である。
【図４】図４は図１‐図２実施例におけるモニタスタンドの後カバーを外した背面、平面および左側面を表す斜視図である。
【図５】図５は図１‐図２実施例のモニタスタンドの要部を示す図解図である。
【図６】図６は図１‐図２実施例のモニタスタンドの要部を示す図解図である。
【図７】図７は昇降アッシーを示す図解図である。
【図８】図８は図７の昇降アッシーの連結アングルの外側面にベアリングローラを取り付ける状態を示す図解図である。
【図９】図９はベアリングローラの一例を示す図解図である。
【図１０】図１０は図７の昇降アッシーの連結アングルにスタンド側のモニタ掛け金具を取り付ける工程を示す図解図である。
【図１１】図１１は図７の昇降アッシーのベアリングローラのためのローラガイドを支柱の内側面に取り付けた状態を示す図解図である。
【図１２】図１２は昇降アッシーを支柱間に取り付ける工程の第１段階を示す図解図である。
【図１３】図１３は昇降アッシーを支柱間に取り付ける工程の第２段階を示す図解図である。
【図１４】図１４は実施例におけるモニタ側のモニタ掛け金具の一例を示す図解図である。
【図１５】図１５はモニタ側のモニタ掛け金具の係止孔にスタンド側のモニタ掛け金具の爪を挿入する工程の一例を示す図解図であり、図１５（Ａ）爪を係止孔の幅広部分に挿入した状態を示し、図１５（Ｂ）はモニタ側のモニタ掛け金具を下げた状態を示す。
【図１６】図１６はモニタ側のモニタ掛け金具を下げて、スリットに掛け面が入り込んだ状態を示す図解図である。
【考案を実施するための最良の形態】
【００１６】
図１および図２を参照し、この考案の一実施例の電子黒板１０は、たとえば液晶ディスプレイ、有機ＥＬディスプレイあるいはプラズマディスプレイであって、タッチスクリーンを備えるタッチスクリーンモニタ（以下、単に「モニタ」ということがある。）１２を備え、このモニタ１２は、モニタスタンド（以下、単に「スタンド」ということがある。）１４に支持される。
【００１７】
このような電子黒板１０は、たとえば小、中学校等の教室に設置される。スタンド１４の下部にはキャスタ１６が設けられていて、スタンド１４すなわち電子黒板１０は教室内等で移動可能である。
【００１８】
この実施例ではモニタ１２は、たとえば５５型以上の大型モニタであり、背面には、たとえば４００ｍｍまたは６００ｍｍのような横（水平）方向の間隔を有する、ＶＥＳＡ規格に従ったねじ孔を有する背面パネル１８が設けられる。
【００１９】
なお、安全のためにスタンド１４の内部構造を隠すために、スタンド１４の前面には図１ではモニタ１２に半分隠れている前カバー２０ａが取り付けられ、スタンド１４の背面には背カバー２０ｂが取り付けられる。
【００２０】
図３および図４はこれらのカバー２０ａおよび２０ｂをそれぞれ取り外して内部構造を図解し、図５は背カバー２０ｂを外したスタンド１４の背面上部を示す背面図であり、図６はその部分を背面から示す斜視図である。
【００２１】
図３‐図６を参照して、スタンド１４は、スタンド全体を支持するベース２２を含み、このベース２２は、連結部材２４で連結した２本の脚部材２６を含む。脚部材２６はそれぞれ、角筒形状であり、それぞれの前後の端部はたとえば合成樹脂からなるキャップによって閉塞される。このキャップは、脚部材２６の部材の切断端部の露出を防止して、児童、生徒などの衝突、接触による怪我を予防する。
【００２２】
また、前述のキャスタ１６は、各脚部材２６の前後方向に２個、適宜の間隔を隔てて取り付けられている。これらのキャスタ１６は、安全のために、ストッパ付きのキャスタである。
【００２３】
なお、２本の脚部材２６の横方向（前後方向に直交する方向）の間隔は、この実施例では、８００ｍｍとした。また、キャスタ１６の前後方向の間隔は、実施例では７４０ｍｍとした。
【００２４】
連結部材２４には、左右方向（幅方向）に所定の間隔を隔てて、２本の支柱２８が垂直に取り付けられる。
【００２５】
なお、これらの連結部材２４、脚部材２６および支柱の各部材は、それぞれ、たとえば鉄、ステンレスまたはアルミニウムのような適宜の金属をパイプ（中空）状に加工して作られる。ただし、各部材の板厚（肉厚）やパイプサイズなどは、当然、基本的に必要な強度を考慮して設計されている。
【００２６】
支柱２８の高さ方向の下部の対向する内面には、縦方向に所定の間隔を隔てて、複数のねじ孔３０が形成される。これらのねじ孔３０は、この内面に溶接等で取り付けた固定ナット（図示せず）で形成される。これらのねじ孔３０を利用して、支柱２８の下部の間には、必要に応じて、たとえば接続コードなどの小物入れとして利用できるトレイやたとえばコンピュータなどの機材を載置するためなどに利用され得る棚（いずれも、図示せず）を取り付けることができる。
【００２７】
左右２本の支柱２８の間には、高さ方向の中ほどに下ステー３２が差し渡して固定され、高さ方向の上端近傍に上ステー３４が差し渡されて固定される。下ステー３２および上ステー３４は、ともに、縦断面が「コ」字状の、いわゆるＣチャンネル（Ｃ形鋼）であって、それぞれ、上平面部、下平面部およびそれらを接続する縦平面部を有する。
【００２８】
下ステー３２の下平面部の上面（内面）の長さ方向（スタンド１４の幅方向）中央には、ボールねじないし昇降ねじ３６を回転可能に支持するための昇降ねじ受け台３８が設けられ、上ステー３４の下平面部の上面（内面）の対応する中央位置には、その位置に形成された透孔（図示せず）を覆うように、逆「Ｕ」状の昇降ねじストッパ４０が取り付けられる。この昇降ねじ受け台３８には、下ステー３２の下平面部を貫通する滑り軸受４２が設けられる。この滑り軸受４２によって、昇降ねじストッパ４０で上端が保持された昇降ねじ３６が回転可能に支持される。
【００２９】
下ステー３２の下平面部から下方に突出した昇降ねじ３６の下端に、この昇降ねじ３６を回転させるためのハンドル４４が固着される。つまり、ハンドル４４を矢印Ａ方向に回転することによって、昇降ねじ３６を回転させることができる。
【００３０】
この実施例のように、昇降ねじ３６の下端に、ハンドル４４を直接固着するようにすれば、モニタ１２の表示面に平行な面内（図１に平行な面内）でハンドルを回せるように傘歯車（図示せず）などを用いる構造に比べて、構造が簡単で安価になるという利点がある。
【００３１】
しかも、ハンドル４４を回す方向（矢印Ａの方向）を昇降ねじ３６の回転方向に一致させたので、ハンドル４４を回す方向を容易に（直感的に）理解することができる、という利点もある。
【００３２】
昇降ねじ３６の回転に応じて昇降される昇降アッシー４６は、昇降ねじ３６によって駆動されてモニタ１２を昇降させる昇降部を構成する。
【００３３】
昇降部ないし昇降アッシー４６は、図７からよくわかるように、それぞれが断面「Ｌ」字状のいわゆるＬアングルで構成される、左右の連結アングル４８および５０によって、上下方向に間隔を隔てて連結される、下桟５２および上桟５４を含む。下桟５２および上桟５４は、ともに、縦断面が「コ」字状の、いわゆるＣチャンネル（Ｃ形鋼）であって、それぞれ、上平面部、下平面部およびそれらを接続する縦平面部を有する。
【００３４】
下桟５２の上下平面部の間には、昇降ナット押え５６が設けられる。昇降ナット押え５６は、その中に、昇降ねじ３６に螺合する雌ねじを有する昇降ナット（図示せず）を収納して下桟５２に固定する。したがって、昇降ねじ３６がハンドル４４で回転されると、それに螺合した昇降ナットが上下（昇降）するので、それを昇降ナット押え５６で固定した下桟５２すなわち昇降アッシー４６が全体として上下（昇降）する。
【００３５】
ここで、昇降アッシー４６の一部を示す図７を参照して、連結アングル４８および５０はそれぞれ横断面「Ｌ」字状のＬアングルであり、それぞれ直交する２つの平面部４８ａ、４８ｂおよび５０ａ、５０ｂを含む。このような連結アングル４８および５０の下端部および上端部に上述のように下桟５２および上桟５４がそれぞれ固着される。下桟５２および上桟５４の幅方向の中央には、それぞれ、昇降ねじ３６を逃げるための半円形の切り欠きが形成されている。
【００３６】
連結アングル４８および５０のそれぞれの一方平面部４８ａおよび５０ａは、昇降アッシー４６の外側面を形成する。平面部４８ａには上下端近傍のそれぞれに、２つの透孔５８ａが形成される。平面部５０ａにはこれらの透孔５８ａに対応する上下端のそれぞれの近傍に、２つの透孔６０ａが形成される。これらの透孔５８ａおよび６０ａは、この実施例の１つの特徴である、図９に示す、ベアリングローラ６２をこれらの外側面に取り付けるために利用される。
【００３７】
また、連結アングル４８および５０のそれぞれの他方の平面部４８ｂ（および５０ｂ）には、縦方向に間隔を隔てて複数の透孔５８ｂ（および６０ｂ）が形成される。透孔５８ｂ（および６０ｂ）は、連結アングル４８（および５０）に、図１０に示すモニタ掛け金具６４を取り付けるために利用される。
【００３８】
ベアリングローラ６２は、図９に示すように、支軸６２ａと、支軸６２ａの軸周りに形成されるベアリング６２ｂを含み、ベアリング６２ｂの外側リング６２ｃが所定の外径を有する。支軸６２ａの一方端面から延びて雄ねじ部６２ｄが形成される。支軸６２ａの外径が透孔５８ａの内径に対応している。
【００３９】
ベアリングローラ６２の支軸６２ａおよび雄ねじ部６２ｄを連結アングル４８の平面部４８ａの外側から透孔５８ａに挿通し、支軸６２ａを透孔５８ａに嵌合させ、このとき平面部４８ａの内側に突出した雄ねじ部６２ｄにナット６６を螺合し、締着することによって、ベアリングローラ６２を昇降アッシー４６の外側面に取り付けることができる。
【００４０】
図示しないが、同じようにして、右側の連結アングル５０にベアリングローラ６２を取り付けることができる。
【００４１】
ただし、図８はベアリングローラ６２を昇降アッシー４６の連結アングル４８（および５０）にどのようにして取り付けるかを参考的に示す図であり、スタンド１４の実際の製造工程においては、後述するように、ベアリングローラ６２は、昇降アッシー４６の下桟５２を昇降ナット押え５６で昇降ねじ３６に取り付けた後に、昇降アッシー４６の連結アングル４８（および５０）に取り付けられるのである。
【００４２】
図１０に示す、モニタスタンド１４側のモニタ掛け金具６４も昇降アッシー４６に取り付けられるものであって、取り付け面部６４ａとその取り付け面部６４ａの一方側端から立ち上がって横方向に折り返される掛け面部６４ｂを有する。つまり、掛け面部６４ｂは、取り付け面部６４ａとは間隔を隔てて、この取り付け面部６４ａと平行に形成される。ただし、掛け面部６４ｂからさらに折り返された立ち上げ部分６４ｃは厚み方向の補強目的で形成される。
【００４３】
モニタ掛け金具６４の取り付け面部６４ａには、このモニタ掛け金具６４を先に説明した連結アングル４８（および５０）に取り付けるための複数の透孔６４ｄが縦一列に形成される。
【００４４】
モニタ掛け金具６４の掛け面部６４ｂには、前述したＶＥＳＡ規格の縦方向の２個のねじ孔に対応するピッチで２個の係止孔６８が縦方向に間隔を隔てて形成される。係止孔６８は、モニタ１２の背面パネル１８（図２）に取り付けられる、図１４に示す、モニタ１２側のモニタ掛け金具７０の爪７２を受け入れる。
【００４５】
係止孔６８は、図１０に示すように、内縁形状が首の細いボトルを上下逆にした外形に似て、上部の幅広部分６８ｗとこの幅広部分６８ｗから下へ延びる幅狭部分６８ｎを有する。このように幅広部分６８ｗと幅狭部分６８ｎを形成するのは、係止孔６８へのモニタ掛け金具７０の爪７２（図１４）を挿入し易くするためである。つまり、爪７２を先ず幅広部分６８ｗへ挿入し、その後爪７２を幅狭部分６８ｎ内に落とし込むことによって、モニタ掛け金具６４および７０の安定した係合を可能にした。
【００４６】
連結アングル４８の透孔５８ｂと掛け金具６４の取り付け面部６４ａの透孔６４ｄを合わせ、ボルト７４ａとナット７４ｂによって、取り付け面部６４ａを連結アングル４８の平面部４８ｂに接合し、モニタ掛け金具６４を連結アングル４８に取り付ける。
【００４７】
図９で示した昇降アッシー４６のベアリングローラ６２をガイドする、ローラガイド７６は、たとえばＣチャンネル（Ｃ形鋼）によって、支柱２８の内側面に形成される。この実施例では、ローラガイド７６は、全体長さが図７で示す下ステー３２と上ステー３４の間に相当する長さとなるように設けられる。この長さは昇降アッシー４６が昇降（上下移動）できる範囲に相当する。
【００４８】
ローラガイド７６は、この実施例では、上下２つのローラガイド７６Ａおよび７６Ｂを含み、ベアリングローラ６２の外リング６２ｃの外周面がそれぞれの側板７６Ａａおよび７６Ｂａで規制される。つまり、側板７６Ａａおよび７６Ｂａが外リング６２ｃすなわちベアリングローラ６２のぶれや蛇行を防止することによって、昇降アッシー４６の安定した昇降を可能にしている。なお、上側ローラガイド７６Ａの下端および下側ローラガイド７６Ｂの上端は、上側ローラガイド７６Ａおよび下側ローラガイド７６Ｂを連通させるために、開放されている。上側ローラガイド７６Ａの上端および下側ローラガイド７６Ｂの下端は、昇降アッシー４６を最上位位置または最下位位置で確実に停止させるために、閉塞されている。
【００４９】
図示しないが、同じようにして、右側の支柱２８（図５など）にもローラガイドが取り付けられる。
【００５０】
ただし、図１１は２つのローラガイド７６Ａおよび７６Ｂが支柱２８の内側面にどのようにして取り付けるかを参考的に示す図であり、スタンド１４の実際の製造工程においては、後述するように、昇降アッシー４６の支柱間への装着の工程において、ローラガイド７６Ａおよび７６Ｂがこの順で取り付けられる。
【００５１】
図１２は、昇降アッシー４６を支柱２８間において昇降ねじ３６と連動するように取り付ける工程を示し、その工程の第１段階では、まず、昇降アッシー４６をその最下位（下端位置）において、昇降ねじ３６に仮固定する。
【００５２】
次いで、図１２に示すように、上側ローラガイド７６Ａだけをねじで、左右の支柱２８の内側面に固定する。ただし、上述のように昇降アッシー４６を昇降ねじ３６に仮固定する前に上側ローラガイド７６Ａを支柱２８内側面に固定するようにしてもよい。
【００５３】
その後、昇降アッシー４６を最上位（上端位置）に移動させ、ローラガイド７６Ａにベアリングローラ６２を挿入して、昇降アッシー４６を最上位で固定する。つまり、この工程で、昇降ナット押え５６を下桟５２に固定する。
【００５４】
その状態で、下側ローラガイド７６Ｂをねじで、左右の支柱２８の内側面に固定する。このとき、下側ローラガイド７６Ｂを上側ローラガイド７６Ａの下端面と隙間なく固定することが重要である。両者間に隙間があると昇降アッシー４６の昇降時、すなわち、モニタ１２の昇降時にがたつきを生じるからである。
【００５５】
このような昇降アッシー４６の昇降に応じて、それに連結されたモニタ掛け金具６４もその上下移動可能範囲内で昇降される。このとき、ベアリングローラ６２がローラガイド７６にガイドされるので、昇降アッシー４６は、安定して昇降（上下移動）され得る。しかも、ベアリングローラ６２とローラガイド７６の組み合わせだけでよいため、比較的安価である。
【００５６】
一方、モニタ１２の背面パネル１８（図２）には、図１４に示すモニタ側のモニタ掛け金具７０が左右の所定位置に取り付けられる。モニタ掛け金具７０は、断面が高さの低い「Ｌ」字状に形成され、その一方面部７０ａに上記の爪７２が形成され、他方面７０ｂには、２つの透孔７０ｃがその上下端部に形成される。透孔７０ｃは、モニタ掛け金具７０を背面パネル１８へ取り付けるために利用される。
【００５７】
一方面部７０ａには、上下に所定間隔を隔てて、２つの爪７２が形成される。爪７２は、一方面部７０ａの側端縁７０ｄから所定間隔を隔てて形成され、その間隔がスリット７８として形成される。
【００５８】
スタンド１４の昇降アッシー４６に取り付けられたモニタ掛け金具６４の係止孔６８へ、モニタ１２の背面パネル１８に取り付けられたモニタ掛け金具７０の爪７２を係合させるとき、図１５（Ａ）に示すようにまず、幅広部分６８ｗへ爪７２を入れる。幅広部分６８ｗへ爪７２が入った状態で、モニタ１２を下げる。そうすると、図１５（Ｂ）に示すように、爪７２のスリット７８にモニタ掛け金具６４の掛け面部６４ｂが入り込み、爪７２が幅狭部分６８ｎの内縁で拘束される。同時に、スリット７８にモニタ掛け金具６４の掛け面部６４ｂが入り込むので、図１６に示すように、爪７２の位置が安定する。
【００５９】
このように、係止孔６８に幅広部分６８ｗとその下の幅狭部分６８ｎを形成することによって、モニタ掛け金具６４の係止孔６８へのモニタ掛け金具７０の爪７２が容易になるので、モニタ１２を容易にスタンド１０上に設置することができる。
【００６０】
このようにして昇降アッシー４６が昇降ねじ３６に取り付けられ、ベアリングローラ６２がローラガイド７６に挿入されると、ハンドル４４を矢印Ａ方向に回すことによって、昇降アッシー４６すなわちモニタ掛け金具６４を昇降させることができる。
【００６１】
なお、ベアリングローラ６２とガイドローラ７６の位置関係は、ベアリングローラ６２の外リング６２ｃが側板７６Ａａおよび７６Ｂａの内側（昇降ねじ３６側）の側板の内面に接し、側板７６Ａａおよび７６Ｂａの外側の側板の内面とは間隔が空くような、位置関係（寸法）に選ばれている。したがって、ベアリングローラ６２の外リング６２ｃは、ローラガイド７６Ａおよび７６Ｂのそれぞれ側板７６Ａａおよび７６Ｂａの内側（昇降ねじ３６側）の側板の内面上を転動してローラガイド７６Ａおよび７６Ｂ内を上下方向に移動される。
【００６２】
ただし、ベアリングローラ６２とガイドローラ７６の位置関係は、これに限定される訳ではない。たとえば、ベアリングローラ６２の外リング６２ｃは側板７６Ａａおよび７６Ｂａの外側（支柱２８側）の側板の内面に接し、側板７６Ａａおよび７６Ｂａの内側の側板の内面とは間隔が空くような、位置関係（寸法）に選ばれていてもよい。
【００６３】
なお、上述の実施例では、昇降アッシー（昇降部）４６の両側の外側面にそれぞれベアリングローラを固着して、昇降部の両側でローラガイド６２でガイドするようにしたが、昇降アッシー（昇降部）４６の片側だけにベアリングローラを固着して、片側だけのローラガイド６２でガイドするようにしてもよい。
【００６４】
なお、上述の実施例で示した具体的な数値や構成、構造は一例であり、実際の製品に応じて適宜変更可能である。
【符号の説明】
【００６５】
１０  …電子黒板
１２  …モニタ
１４  …スタンド
２８  …支柱
３６  …昇降ねじ
４６  …昇降アッシー（昇降部）
６２  …ベアリングローラ
７６  …ローラガイド
【図１】
0003232082.tif 000003
【図２】
0003232082.tif 000004
【図３】
0003232082.tif 000005
【図４】
0003232082.tif 000006
【図５】
0003232082.tif 000007
【図６】
0003232082.tif 000008
【図７】
0003232082.tif 000009
【図８】
0003232082.tif 000010
【図９】
0003232082.tif 000011
【図１０】
0003232082.tif 000012
【図１１】
0003232082.tif 000013
【図１２】
0003232082.tif 000014
【図１３】
0003232082.tif 000015
【図１４】
0003232082.tif 000016
【図１５】
0003232082.tif 000017
【図１６】
0003232082.tif 000018